(57)【特許請求の範囲】
【請求項１】
当該装置にて生成され乃至は外部より当該装置に供給された画像情報を当該装置に対して着脱可能となされた記録媒体に記録するための記録モードと、
前記記録媒体に記録された画像情報を表示すべく再生するための再生モードとを選択的に切り換え可能と成した画像取扱装置であって、
該画像取扱装置は、
前記記録媒体に一の画像情報の記録形態と等価な形態でまとめて記録されるように予め手動により入力して生成された複数の画像名称のうちから、一つの画像名称を手動にて選択するようにした手動生成手動選択モードを備え、
前記記録モードにより画像情報を記録する際、前記手動生成手動選択モードにおいて手動にて選択された前記画像名称を当該画像情報に付することを特徴とする画像取扱装置。
【請求項２】
前記再生モードにより画像情報を再生する際、前記画像名称を当該表示画像に重畳して表示することを特徴とする請求項１記載の画像取扱装置。
【請求項３】
前記表示画像に重畳して表示された画像名称を変更するための手段を有することを特徴とする請求項２記載の画像取扱装置。
【発明の詳細な説明】
【０００１】
【産業上の利用分野】
本発明は画像データの記録再生機能を備えた画像取扱装置に関する。
【０００２】
【従来の技術】
従来、画像を記録する際には、後で画像の特定が簡単なように画像に対して適当な名称を入力し、確認しながら画像の記録を行う画像取扱装置が提案されている。
【０００７】
【発明が解決しようとする課題】
しかしながら、上記した従来の画像取扱装置においては、以下のような問題があった。
（１）１枚１枚画像名称を入力しながら撮影を行っていたので、１枚撮影するたびに画像名称を入力（選択）しなければならず大変面倒であった。また、手動で画像名称を入力すると同一の名称を入力してしまう。
（２）前もって画像名称を入力しておいても、カメラの電源をＯＦＦするとその画像名称が消えてしまう。
（３）一度記録してしまった画像データは、カメラでは画像名称を確認することができなかった。
（４）既に記録されている画像データの画像名称を変更することは、パソコン等の情報処理装置を用いないとできなかった。すなわち、画像取扱装置単体では不可能であった。
【０００８】
本発明の画像取扱装置はこのような課題に着目してなされたものであり、その目的とするところは、カメラで撮影した画像の検索が容易な画像取扱装置を提案することにある。
【０００９】
【課題を解決するための手段及び作用】
上記の目的を達成するために、本発明の第１の態様は、当該装置にて生成され乃至は外部より当該装置に供給された画像情報を当該装置に対して着脱可能となされた記録媒体に記録するための記録モードと、前記記録媒体に記録された画像情報を表示すべく再生するための再生モードとを選択的に切り換え可能と成した画像取扱装置であって、該画像取扱装置は、前記記録媒体に一の画像情報の記録形態と等価な形態でまとめて記録されるように予め手動により入力して生成された複数の画像名称のうちから、一つの画像名称を手動にて選択するようにした手動生成手動選択モードを備え、前記記録モードにより画像情報を記録する際、前記手動生成手動選択モードにおいて手動にて選択された前記画像名称を当該画像情報に付する。
また、本発明の第２の態様は、第１の態様において、前記再生モードにより画像情報を再生する際、前記画像名称を当該表示画像に重畳して表示する。
また、本発明の第３の態様は、第２の態様において、前記表示画像に重畳して表示された画像名称を変更するための手段を有する。
【００１１】
【実施例】
以下、添付の図面を参照して本発明の実施例を詳細に説明する。
図１は本発明の画像取扱装置が適用される電子スチルカメラの構成を示すブロック図である。まず、画像を記録する時の画像データ信号の流れにそって説明すると、光学系１に外から光が入力されたとき、撮像系２は光を電気信号に変換するとともに、この信号に対して所定の電気処理を施す。次にクランプ回路３においてＤＣ成分のレベルの調整が行われる。次に、Ａ／Ｄ変換回路４においてアナログの信号をデジタル信号に変換して、フレームメモリ５にデータを書き込む。この時、フレームメモリ５を実際に制御するのがメモリコントロール回路６である。記録媒体に記録する時にはフレームメモリ５に画像データが書き込まれるのを待ち、１画面分書き込まれるとＤＣＴ／ＩＤＣＴ回路１２にデータが送られて、ここで離散型コサイン変換と呼ばれる変換処理が施される。
【００１２】
その後、コーダ／デコーダ１３にデータが送られて、データの圧縮処理が施される。コーダ／デコーダ１３で圧縮されたデータはデータバス１（１６）を通って記録媒体としてのＩＣメモリカード１５にデータが書き込まれる。補助メモリ１４はコーダ／デコーダ１３が圧縮処理を施す時の圧縮用テーブル等を蓄えておくためのメモリである。
【００１３】
再生する時は、ＩＣメモリカード１５に書き込まれているデータを読み出してデータバス１（１６）を通してコーダ／デコーダ１３で伸長処理を施す。伸長されたデータはＤＣＴ／ＩＤＣＴ１２で逆離散型コサイン変換が施された後、フレームメモリ５に書き込まれる。
【００１４】
フレームメモリ５にデータが書き込まれると、デジタルプロセス７にデータが送られて、ＮＴＳＣ方式のビデオ信号にするべくデジタル処理が施され、Ｄ／Ａ変換回路８において最終的なＮＴＳＣ方式のアナログビデオ信号に変換される。このアナログビデオ信号はビデオバッファ９を介した後、ＥＶＦ１１で画像として表示されたり、外部ビデオ出力端子１０にＮＴＳＣビデオ信号として送られる。
【００１５】
さらに、今まで述べた全体のシーケンスを統括するためのシステムコントローラ２１を有し、その他に、ＥＶＦ１１や外部出力１０に出力されるビデオ信号に重畳するキャラクタを発生するキャラクタジェネレータ２２、カメラの色々な動作モードを表示する為の表示部２０、実際にカメラを操作するための操作部１９等を有する。
【００１６】
以下に、画像の送受信について説明する。ここではＩＣメモリカード１５に記録されている画像データを送信する場合を考えると、ＩＣメモリカード１５からデータバス１（１６）を通して、システムコントローラ２１にデータを読み込む。
【００１７】
システムコントローラ２１はこの読み込んだデータに対して画像を伝送するために必要な処理を施した後、データバス２（１７）を通してデータ入出力部１８にデータを送る。
【００１８】
一方、画像の受信の場合は反対に、データ入出力部１８から受けとったデータをデータバス２（１７）を通してシステムコントローラ１９が読み込んでデータバス１（１６）を通してＩＣメモリカード１５に書き込む。
【００１９】
図２３は第１実施例に係る電子スチルカメラの構成を示す図である。第１実施例ではシステムコントローラ２１がモード制御部２１ａを具備し、操作部１９がモード設定部１９ａを具備している。
【００２０】
第１実施例のモード設定部１９ａは、図４に示すような従来の切替え装置の代わりに、図５に示すような構成を有する。すなわち、通常カメラモードで動作しているカメラにおいて、図５に示すように再生ボタン、送信ボタン、受信ボタンの３つのボタンを別個に設ける。そして、システムコントローラ２１内のモード制御部２１ａによって各々のボタンを押している間だけそのモードが設定されるようにして、設定モード間での関連付けを無くした構成にする。
【００２１】
このような構成によって、画像を撮影した後、送信するといった動作を行わせようとすると図６のフローチャートのようになる。
まず、カメラは通常記録モードになっているので、そのまま撮影を行う（Ｓ７１）。撮影が終了した後、図５に示す再生ボタンを押すと、今撮った画像が再生されるが、同時にこの再生ボタンを押すことだけによって画像の確認を行なう（Ｓ７２）。確認したら再生ボタンを離し、次に図５に示す送信ボタンを押すと送信の動作が始まり画像の送信が行われる（Ｓ７３）。このようにして簡単に画像の送信が行われるようになる。
【００２２】
次に受信の時の例であるが、図３に示すように図５の受信ボタンを押すことによって画像の受信モードになる（Ｓ３１）。ここで画像を受信するとその受信したデータの画を確認する為に再生ボタンを押せば再生画像の確認ができる（Ｓ３２）。
【００２３】
これに対して従来例の場合を補足すると、図２に示すように受信をしようとする時に、まず伝送モード設定スイッチ（図４に示すカメラ／伝送の切替えスイッチ）をカメラから伝送に設定する（Ｓ２１）。次に受信しなければならないので、受信モードの設定にする。すなわち、図４に示す受信／送信切替えスイッチを受信の方に設定する（Ｓ２２）。ここで画像データを受信する（Ｓ２３）。その後、受信した画像を確認するために、図４に示すカメラ／伝送切替えスイッチを伝送からカメラの方へ戻してカメラモードに設定する（Ｓ２４）。
【００２４】
ここで、現在、記録／再生の切替スイッチは記録の方になっているので再生状態を確認する為に記録／再生切替えスイッチを再生の方に切り換える（Ｓ２５）。次にＳ２６で、コマ送りボタンで今受信した画を選択して画像を確認する。
【００２５】
このように従来では複雑な操作が必要であるのに対し本実施例は非常に簡単な操作で画像の確認まで行うことができる。
図２４は第２実施例に係る電子スチルカメラの構成を示す図である。第２実施例では、システムコントローラ２１は名称生成モード切り換え部２１ｂと、名称生成部２１ｃを具備しており、操作部１９は名称生成モード選択部１９ｂと、名称入力部１９ｃとを具備している。
【００２６】
第２実施例では、得られた画像データに画像名称といったようなものを付けて画像の識別或いは編集・整理等を更に行えるようにしている。すなわち、一例として画像名称にＤＯＳ（Disk Operating Sistem)ファイル方式におけるファイル名というものを使用している。ここでＤＯＳファイル方式では１つのデータの固まりをファイルと総称し、それに付いている名前をファイル名と呼んでいる。本実施例ではこのファイル名が画像名称に相当する。
【００２７】
図２０はこのようなファイルの構成例を示す図である。同図に示すようにファイルはカメラヘッダと呼ばれる部分とそれに付随する実際の画像データから構成されている。カメラヘッダには、主に撮影日付やカメラヘッダの次から始まる画像データのフォーマット形式等が記号化されて記録されている。このカメラヘッダの後に実際の画像データが記録されている。
【００２８】
この場合、例えば、画像名称＝ファイル名とみなして、ファイル名を簡単に連番でつけたり、一義的に日付を暗号化してつけたりというような形式が考えられる。しかしながら、このような形式にすると例えば後の画像の検索性が悪くなってしまう。また、画像を連続して撮影したい場合や、後に画像を編集する時に今これから撮影する画はどういった画なのかということを一枚一枚ファイル名を確認しながら記録したい場合がある。このような場合は画像名称、ファイル名の生成方式を目的によって使いわけたい要望が発生する。
【００２９】
そこで本実施例では、画像に付けるファイル名の生成の仕方を色々なモードに応じて選択できるようにする。これによって、その目的にあったファイル名の生成モードを選択する。図８はこのような生成モードの選択方法を示すフローチャートである。まずＳ８１で、名称ファイル（この名称ファイルについては後述する）があるかどうかを判別して、もしあればＳ８５において名称ファイルモードでファイル名を生成して終了する。それに対して名称ファイルがない場合は、Ｓ８２で半手動半自動モードでファイルを生成するか否かを判断し、半手動半自動で行う場合にはＳ８６で半手動半自動モードでファイル名を生成して終了する。
【００３０】
半手動半自動でもない場合は、Ｓ８３で全手動モードで生成するかどうかを判別して全手動で生成する場合はＳ８７で全手動モードで生成して終了する。全手動でもない場合は、Ｓ８４で自動生成手動選択モードで生成するかどうかを判別して、自動生成手動選択モードで生成する場合はＳ８８で自動生成手動選択モードでファイル名を生成して終了する。また、どれでもない場合は、Ｓ８９で自動生成というモードでファイル名を生成して終了する。
【００３１】
このようなモード選択によれば、その時々撮影する目的や枚数によって、例えば取り敢えず沢山の画像データを記録して後で選別する場合は、撮影する時に手間のかからない自動生成モードを使用したり、それに対して一枚一枚じっくり撮って後の検索性をよくしたい場合は全手動モードを選択してすべてのファイル名を自分で入力する。従って、目的にあったモードを選択できるという利点がある。
【００３２】
以下に、上記した各種のモードについて説明する。
自動生成モードとは、基本的にはカメラがファイル名を全て全自動で生成するモードで、最終的にどのようなファイル名が生成されるかはわからずに、全く暗号みたいな形でファイル名が作られるモードのことである。自動生成モードの動作は、図９にあるようにＳ９１でカメラは、今まで撮影したファイル名を検索する。すなわち、今あるファイル名を読み込んで、それに重ならないような自動生成を行うためにＳ９１で従来のファイルを読み込む。次にＳ９２で今まであるファイル名とは重ならない新しいファイル名をカメラが自動生成する。そして、そのファイル名を元に、今撮影されたデータにそのファイル名を付けてファイルを生成して終了する（Ｓ９３）。この場合の利点は、撮影するたびに撮影者は一切画像のファイル名を気にせずにトリガボタンを押すだけでどんどん新しい画像を記録することができる。
【００３３】
次に半手動半自動モードの一例を図２１を用いて説明する。ＤＯＳのファイル名は８文字以下の任意の文字で構成することができるので、この８文字を利用して上の３文字を自由に使用者が入力できるようにするとともに、次の３文字をカメラ側が自動生成するようにして、最後に２文字を連番で番号を付加する。このような方法によれば、一番上の３文字を自分でアップダウンボタンを使用して入力することによって後々検索するときにこの３文字をもとに検索すればある程度の画像の絞り込みが行える利点がある。また、中間の３文字をカメラ側が自動生成することによって実際先頭に入力した３文字が従来にあるファイル名と重複したとしても自動生成の３文字によって重複を回避できる。また、最後の２文字の連番は、例えば連写で一連の画像を一気に記録する場合やインターバルＲＥＣで自動記録する場合に、この連番部分をカウントアップすることによってある程度関連づけた画像ファイルの記録が行える。
【００３４】
次にこの半手動半自動モードの動作を図１０を使って説明する。
まずスタートし、先頭の３文字をＳ１０１において入力する。入力が終わるとＳ１０２において今まで記録されていたファイル名を検索して重複がないか否かの調査をする。それを元にＳ１０３においてカメラが自動的に残りの３文字プラス連番の部分を生成して、その生成された新しいファイル名でファイルを生成して終了する（Ｓ１０４）。
【００３５】
次に手動入力モードについて説明する。これは前記した８文字のファイル名を全て使用者が手動で入力するモードである。この場合の利点は、ファイル名を全て使用者が手動で入力することによって、使用者が意味するところの画像データとファイル名が記録する前の段階から常に１対１で対応するので、後に画像データを検索する時の検索性が非常に良くなる。
【００３６】
この場合の動作を図１１を使って説明する。まず、スタートし、Ｓ１１１においてファイル名を全て８文字分操作者が入力する。次に入力されたファイル名を元にカメラが自動的に従来のファイル名を検索して（Ｓ１１２）、次のＳ１１３で今までのファイル名と同じ名前で入力されているか否かをチェックする。もし、同じ名前のファイルがすでに存在する場合は、Ｓ１１４で同じ名前があるという警告表示をする。その後に、そのまま昔のファイルを消して今のファイルで上書きしてもよいかというチェックをＳ１１５で行う。また、上書きが問題となる場合はＳ１１１まで戻りファイル名の入力からやり直す。それに対して、上書きしてもよい場合は、同一ファイルが無い場合と同じでＳ１１６において入力したファイル名でファイルを作成して終了する。この場合、昔のファイルは自動的に上書き消去される。
【００３７】
次に自動生成手動選択モードについて説明する。
このモードは、カメラがファイル名を自動生成する点は自動生成モードと一緒だが、撮影前にカメラはある程度違ったファイル名を複数自動生成しておき、その違う自動生成されたファイル名を使用者が手動で選択して、その選択されたファイル名を使ってファイルを作成しようというものである。この場合の利点は、全手動のように全部最初から自分で名前を付けられるわけではないが、記録動作以前にこれから記録される画がどういった名前で記録されるのかをある程度使用者が選択できるので、選択した時のファイル名を記録しておけば後でも検索性がよくなる。また、撮影時にいちいち８文字のファイル名を入力しなくてもよいので簡単に撮影ができる。
【００３８】
その時の画面の一例を図１９に示す。このようにカメラが自動生成したファイル名を５種類表示しておいてその中から選択マークを使って使用者が選択する。
次に自動作成手動選択モードの場合の動作を図１２で説明する。
【００３９】
Ｓ１２１で従来ファイルの検索をカメラが自動的に行い、Ｓ１２２で今までのファイル名と重ならない新しいファイル名をカメラが自動的にいくつか生成する。この生成したファイル名をＳ１２３において画面上に表示して、Ｓ１２４で撮影者が選択を行う。選択するとＳ１２５でそのファイル名を使ってファイルを作成して終了する。
【００４０】
次に手動作成手動選択の場合を説明する。この場合は使用者が前もってファイル名をいくつか作成してカメラに入力しておく。実際に撮影する時に前もって作成して手動で入力しておいたファイル名の内１つを選択して、その選択したファイル名で画像を撮影するモードである  この場合の利点は、全手動の場合だと撮影する度にその場で一枚一枚ファイル名を入力しなければならない欠点があるが、、この場合は前もってファイル名を入力しておくことによって撮影時にはその中から選択するといった簡単な操作だけで済む。基本的には全手動入力モードと同様の効果を有するが、全手動に比べて撮影時の手間が省けるといった効果がある。
【００４１】
次に手動作成手動選択の場合の動作を図１３で説明する。
まずスタートして、Ｓ１３０１においてすでにあるファイル名を検索する。次にＳ１３０２で未使用ファイル名があるかどうかのチェックをするが、これは前もって手動生成しておいたファイル名がまだ残っているか否かに関するチェックである。今ここで例えば前もって入力しておいたファイル名が無い場合には、新たにファイル名を入力する。新たにファイル名を入力する場合はＳ１３０３でファイル名の入力を行ない、次にファイル名をさらに入力するか否かを判断する（Ｓ１３０４）。ここで、ＹＥＳの場合はＳ１３０３のファイル名入力に戻って、いくつか新しいファイル名を入力する。
【００４２】
それに対してＳ１３０２で未使用ファイル名がカメラの中に登録されている場合には、Ｓ１３０４に飛んでファイル名をもっと入力するか否かを判断し、入力しない場合はＳ１３０５に移行し、Ｓ１３０５においてまだ使っていないファイル名が複数個あるか否かをチェックして、複数ある場合はＳ１３０６でファイル名を表示して、Ｓ１３０７でその中からファイル名を選択する。一方、Ｓ１３０５で未使用のファイルが１つしか残っていない場合は、選択する必要がないのでＳ１３０８へ飛ぶ。
【００４３】
この後に、Ｓ１３０８でこれから入力しようとしたファイル名が従来のファイル名と重なっていないかどうかをチェックする。ここで重なっている場合には、Ｓ１３０９で警告表示をしてその後にＳ１３１０で同じ名前で昔のデータに上書きしてもよいかをチェックする。上書きが問題となる場合には、Ｓ１３０２迄戻る。また、上書きしてもよい場合は、先程選択したファイル名と同じファイル名がなかった場合と同じでＳ１３１１でその選択した新しいファイル名でファイルを生成して終了する。これが実際の撮影時の動作になる。それに対して前もって撮影する以前にファイル名を入力してカメラに記憶しておいてもよい。
【００４４】
次に上記例とは異なり、ファイル名の一連の固まりを前もって入力しておいて、撮影時にはその中から選択して使うというような例について説明する。ここではファイル名ファイルというものを使用する。すなわち、記録媒体にファイル名ファイルと呼ばれる、画像データファイルと等価な形のファイルを１つ作成する。このファイルにはこらから記憶しようとしている画像データに付加するためのファイル名が一覧で書かれている。このファイルに前もってファイル名を自分で入力しながら書き込んでいく。実際に撮影する時は、ファイル名ファイルからカメラがファイル名を読み込んで、その中から使用者がファイル名を選んでファイルを作成する。
【００４５】
図１４は、ファイル名ファイルにファイル名を入力する一連の動作を示すフローチャートである。スタートして、まずＳ１４１でファイル名ファイルがこれから記録しようとしている記録媒体に存在するかどうかをチェックする。ここで、すでにファイル名ファイルが記録媒体上に存在するならＳ１４３でそのファイル名ファイルに記録されているファイル名を読み込む。一方、ファイル名ファイルが記録媒体にまだ無い場合は、Ｓ１４２でそのファイル名ファイル自体を新しく作成する。次にファイル名ファイルにファイル名をＳ１４４で入力する。
【００４６】
この入力方法自体は図１３のファイル名の入力と同じである。次に、Ｓ１４５で同名ファイルがあるかをチェックする。このチェックは、Ｓ１４３でファイル名ファイルからファイルを読み込んでいるが、この読み込んだデータに対して同名があるかどうか、又はＳ１４７からＳ１４４までのルートを通して、今まで自分が入力しているファイル名と重なっていないかどうかに関するチェックがＳ１４５で行われ、同名があった場合にはＳ１４６で警告表示をする。次にＳ１４７でさらに新しいファイル名を入力するか否かを判断し、入力するならばＳ１４４に戻ってループを組んで必要なだけ新しいファイル名を入力する。入力しない場合は終了する。
【００４７】
このような手順を実行することによってファイル名ファイルと呼ばれる、これから記録しようとしている画像データに付けるためのファイル名に関する一連のデータが記録媒体に入力される。
【００４８】
図１５は、このようなファイル名ファイルを使用して画像を記録する時の記録動作の例を示すフローチャートである。まずスタートし、ファイル名ファイルが存在するかをチェックして（Ｓ１５０１）、存在しない場合はＳ１５０９で自動的に自動生成モードに切り換えて、自動生成でできたファイル名でファイルを生成して終了する。また、ファイル名ファイルがあった場合は、Ｓ１５０２でファイル名ファイルからファイル名の読み込みをカメラが自動的に行う。そして次のＳ１５０３で読み込んだファイル名を表示して、Ｓ１５０４で表示したファイル名の中から１つを使用者に選択してもらう。
【００４９】
次にＳ１５０３で今まで記録媒体に画像データとして記録されているファイルのファイル名を検索して、Ｓ１５０６で同名ファイルがあるかのチェックをする。ここで、同名ファイルが存在する場合は、Ｓ１５０７で警告表示を行い、Ｓ１５０８で上書き表示をするか否かのチェックをして上書き表示が問題となる場合は、Ｓ１５０３に戻りファイルの選択をやり直す。また、上書きで記録してもよい場合は、同名ファイルの無い場合と同様にＳ１５１０で選択されたファイル名でファイルを作成して終了する。
【００５０】
このようにファイル名ファイルを使う利点は、前もって自分の好きなファイル名を入力しておけば撮影する時にはその中から選択するという簡単な操作だけでこれから撮影する画像データのファイル名を指定することができる。
【００５１】
そのファイル名の一連のリストをファイル名ファイルの形で記録媒体に記録することによって、記録媒体だけを受渡ししたような場合でもそのまま使用できる利点もある。
【００５２】
今までは、記録する時に記録されるファイル名を自由な形で入力したり、選択する方法を説明したが、それに対して再生時にその画像に付いているファイル名を表示できるようにすることにより異なる利点が生まれる。すなわち、記録する時にこれから記録される画像データのファイル名を確認して、それを控えておけば後々の検索性が良くなる。しかしながら、この方法では一度記録してしばらくたってから画像を表示して確認するような場合、すでに今まで記録した時につけた画像のファイル名を確認する方法がないという欠点がある。
【００５３】
このため本実施例では、再生時に今再生している画像データのファイル名を画面上にスーパーインポーズで表示することによって、今表示しているデータが何というファイル名で記録媒体上に記録されているのかが一目で確認できるようにする。この方法によれば、記録媒体をパソコン等のデータ処理装置とともに使用する時にパソコン上で画像の再生表示を行うことをしなくても、カメラの方で簡単に表示して確認しておけば、そのファイル名だけでパソコン上でもデータを処理することができる利点がある。
【００５４】
この場合の動作の一例を図１６を参照して説明する。まず、Ｓ１６１で画像の再生を行い、Ｓ１６２でその画像のファイル名を表示するかどうかを判断し、表示しない場合は終了し、ファイル名を表示する場合は、Ｓ１６３で今再生しているファイル名を記録媒体から読み込み、Ｓ１６４で今読み込んだファイル名が表示可能か否かのチェックをする。
【００５５】
パソコンでは、ＤＯＳのファイル名は半角で８文字と制限されているが、ここでは全角の文字や漢字等を使用することも可能である。しかしながら、カメラ等の簡単な装置を考えた場合、漢字まで表示することは難しいので、この例ではカメラ上では漢字を表示しないということを想定し、そのチェックをＳ１６４で行って、ファイル名に漢字が使われていた場合は、Ｓ１６５で文字変換をしてＳ１６６でファイル名を表示して終了する。一方、Ｓ１６４で表示が可能ならば、Ｓ１６５の文字変換を行わずにそのままファイル名を表示して終了する。
【００５６】
以下に、実際に表示したときの表示例を図１８で説明する。同図に示すように、画面の左上に８文字プラス拡張子ファイル名を表示し、その他にコマ番号や撮影日付、撮影時間を画像上にスーパーインポーズで表示し背景に今再生している画を表示している。
【００５７】
図１６に示す実施例ではファイル名を表示して終了していたが、この変形例として図２５に示すように、Ｓ１６７を追加してファイル名を変更するかどうかの分岐を追加する。ここでファイル名を変更する場合は、Ｓ１６８でファイル名の変更処理を行って終了する。
【００５８】
この利点はファイル名の表示で確認はできるが、自動生成モードで生成されたファイル名を再生中に、画像を確認しながらその画像に付けるファイル名をその場で変更することができることである。
【００５９】
図２２はこのようなファイル名の変更処理の手順を示すフローチャートである。まず、Ｓ２２１で従来のファイル名、すなわち、記録媒体に記録されている今までのファイル名を検索する。検索後、Ｓ２２２でファイル名の生成処理を行なうが、その手順は上記した自動生成、手動生成の手順と同様の方法で行なうことができる。次にＳ２２３で同一ファイル名があるか否かのチェックをして、すでにある場合はＳ２２４で警告表示をしてＳ２２５で上書き表示をしてもよいか否かの判断を行なう。上書き表示をしない場合はＳ２２２のファイル名生成まで戻り新しいファイル名を生成する。上書きしてもよい場合は、Ｓ２２６のファイル名の変更処理を行って終了する。
【００６０】
今の実施例は、再生モードの時に再生している画像ファイルのファイル名を表示する例であったが、次に記録する時に画像データが何というファイル名で記録されたのかが記録時に表示されるような実施例を示す。
【００６１】
自動生成であっても記録する直前、或いは記録した直後に今記録したファイル名が表示されるだけでもある程度の検索性等がよくなるという利点がある。図１７はその一例としての記録シーケンスを示している。まずスタートしてＳ１７１で撮影動作を行う。次にＳ１７２で撮影したものを記録媒体に記録する。この例は実際撮影前ではなく、記録後にファイル名を表示する例だが、Ｓ１７３で今記録した画が何というファイル名で記録されるかを表示して、Ｓ１７４で最終的なファイルの作成処理をして終了する。
【００６２】
この実施例とは反対に撮影前に表示する場合は、Ｓ１７３をＳ１７１の前に移行すればこれから撮影される画に前もってファイル名を表示することが可能となる。
【００６３】
【発明の効果】
以上説明したように、本発明による画像取扱装置は、前もって複数の画像名称を記録媒体に手動で入力しておくようにしたので、撮影時は前もって入力された画像名称から選択するだけで良く、これにより撮影がスムーズに行えるとともに検索性も向上する。また、前もって記録媒体に画像名称を入力しておくので、カメラの電源をＯＦＦしてもその画像名称が消えてしまうことはなく、記録媒体毎に画像名称を管理することが可能となり、画像データの管理がより簡単になる。さらに、再生時に画像データに重畳させて画像名称を表示するようにして画像データの画像名称を変更できるようにしたので、撮影時には取り敢えず簡単な名称を指定しておき、後で必要に応じて画像を再生表示させながら、画像名称を変更することができ、検索性が向上する。
【図面の簡単な説明】
【図１】本発明の画像取扱装置が適用される電子スチルカメラの構成を示すブロック図である。
【図２】従来の画像データの受信手順を説明するためのフローチャートである。
【図３】本実施例の画像データの受信手順を説明するためのフローチャートである。
【図４】従来の操作モードの切り換えを説明するための図である。
【図５】本実施例の操作モードの切り換えを説明するための図である。
【図６】従来の画像データの送信手順を説明するためのフローチャートである。
【図７】本実施例の画像データの送信手順を説明するためのフローチャートである。
【図８】画像名称生成モード選択のフローチャートである。
【図９】自動生成モード時のファイル作成のフローチャートである。
【図１０】半手動半自動モード時のファイル作成のフローチャートである。
【図１１】手動入力モード時のファイル作成のフローチャートである。
【図１２】自動作成、手動選択モード時のファイル作成のフローチャートである。
【図１３】手動作成、手動選択モード時のファイル作成のフローチャートである。
【図１４】ファイル名ファイルへのファイル入力方法のフローチャートである。
【図１５】ファイル名ファイルモード時のファイル作成のフローチャートである。
【図１６】再生処理のフローチャートである。
【図１７】記録動作シーケンスを示すフローチャートである。
【図１８】再生時のファイル名の表示例を示す図である。
【図１９】選択時のファイル名の表示例を示す図である。
【図２０】画像データのファイル構成を示す図である。
【図２１】ＤＯＳのファイル名の構成を示す図である。
【図２２】ファイル名変更のフローチャートである。
【図２３】第１実施例に係る電子スチルカメラの構成を示す図である。
【図２４】第２実施例に係る電子スチルカメラの構成を示す図である。
【図２５】他の再生処理のフローチャートである。
【符号の説明】
１…光学系、２…撮像系、３…クランプ回路、４…Ａ／Ｄ変換回路、５…フレームメモリ、６…メモリコントロール回路、７…デジタルプロセス、８…Ｄ／Ａ変換回路、９…ビデオバッファ、１０…外部ビデオ出力端子、１１…ＥＶＦ、１２…ＤＣＴ／ＩＤＣＴ、１３…コーダ／デコーダ、１４…補助メモリ、１５…ＩＣメモリカード、１６…データバス１、１７…データバス２、１８…データ入出力部、１９…操作部、２０…表示部、２１…システムコントローラ、２２…キャラクタジェネレータ。
【図１】
0003762447.tif 000002
【図２】
0003762447.tif 000003
【図３】
0003762447.tif 000004
【図４】
0003762447.tif 000005
【図５】
0003762447.tif 000006
【図６】
0003762447.tif 000007
【図７】
0003762447.tif 000008
【図８】
0003762447.tif 000009
【図９】
0003762447.tif 000010
【図１０】
0003762447.tif 000011
【図１１】
0003762447.tif 000012
【図１２】
0003762447.tif 000013
【図１３】
0003762447.tif 000014
【図１４】
0003762447.tif 000015
【図１５】
0003762447.tif 000016
【図１６】
0003762447.tif 000017
【図１７】
0003762447.tif 000018
【図１８】
0003762447.tif 000019
【図１９】
0003762447.tif 000020
【図２０】
0003762447.tif 000021
【図２１】
0003762447.tif 000022
【図２２】
0003762447.tif 000023
【図２３】
0003762447.tif 000024
【図２４】
0003762447.tif 000025
【図２５】
0003762447.tif 000026